(57)【特許請求の範囲】
【請求項１】
ハンダ相当物の設けられてなる基板に対し、ハンダ相当物とレジストとを区別してハンダ相当物を抽出するために、斜め方向から４２０ｎｍを上回り４５０ｎｍを下回る範囲にピーク波長をもつ紫色光を照射可能な紫色光照射手段と、前記基板のほぼ真上に設けられ、前記紫色光の照射された前記基板からの反射光に基づく撮像を行う撮像手段と、前記撮像手段による撮像において取得される画像データに基づき、前記ハンダ相当物の領域を抽出した上で所定の検査を行う検査手段とを具備することを特徴とする基板の検査装置。
【請求項２】
ハンダ相当物の設けられてなる基板に対し、ハンダ相当物とレジストとを区別してハンダ相当物を抽出するために、斜め方向から４２０ｎｍを上回り４５０ｎｍを下回る範囲にピーク波長をもつ紫色光を照射可能な紫色光照射手段と、前記基板に対し、前記紫色光照射手段よりも小さな入射角で、５２０ｎｍ以上６８０ｎｍ以下の範囲にピーク波長をもつ長波長可視光を照射可能な長波長可視光照射手段と、前記基板のほぼ真上に設けられ、前記紫色光の照射された前記基板からの反射光、及び、前記長波長可視光の照射された前記基板からの反射光に基づく撮像を行う撮像手段と、前記撮像手段による撮像において取得される画像データに基づき、前記ハンダ相当物の領域を抽出した上で所定の検査を行う検査手段とを具備することを特徴とする基板の検査装置。
【請求項３】
請求項２に記載の検査装置において、
前記検査手段は、前記長波長可視光の照射によって取得される画像データに基づき、前記基板上に設けられ前記ハンダ相当物周囲に位置する電極領域を抽出しマスキングした上で、前記ハンダ相当物の領域抽出を実行することを特徴とする基板の検査装置。
【請求項４】
請求項２又は３に記載の検査装置において、
前記長波長可視光照射手段は、５９０ｎｍ以上６８０ｎｍ以下の範囲にピーク波長をもつ橙色乃至赤色光を照射することを特徴とする基板の検査装置。
【請求項５】
請求項２又は３に記載の検査装置において、
前記長波長可視光照射手段は、５２０ｎｍ以上５７０ｎｍ以下の範囲にピーク波長をもつ緑色光を照射することを特徴とする基板の検査装置。
【請求項６】
請求項１乃至５のいずれかに記載の検査装置において、
前記紫色光照射手段は、４３０ｎｍを上回り４４０ｎｍを下回る範囲にピーク波長をもつ紫色光を照射することを特徴とする基板の検査装置。
【請求項７】
請求項１乃至６のいずれかに記載の検査装置において、
前記紫色光照射手段は、４３５ｎｍにピーク波長をもつ紫色光を照射することを特徴とする基板の検査装置。
【請求項８】
請求項１乃至７のいずれかに記載の検査装置において、
前記検査手段は、前記画像データに基づき、前記ハンダ相当物の領域を抽出した上で、その面積計測、及び、計測値の判定、位置ずれ判定、ブリッジの有無判定のうち少なくとも１つの判定を実行可能であることを特徴とする基板の検査装置。
【請求項９】
請求項１乃至８のいずれかに記載の検査装置において、
前記検査手段は、さらに、前記画像データに基づき、前記ハンダ相当物の領域を抽出した上で、その高さ計測を行うことにより三次元計測を実行する三次元計測手段を具備し、当該三次元計測結果に基づき、前記ハンダ相当物の量及び高さのうち少なくとも一方について良否判定を実行することを特徴とする基板の検査装置。
【発明の詳細な説明】
【技術分野】
【０００１】
本発明は、プリント基板の製造過程において行われる検査に係り、より詳しくは、基板上に配設されたクリームハンダ等を抽出した上で所定の検査を行うための基板の検査装置に関するものである。
【背景技術】
【０００２】
一般に、プリント基板製造の過程において、基板上に電子部品を実装する工程がある。その実装に際して、まずプリント基板上に配設された所定の電極パターン上にクリームハンダが印刷される。次に、そのクリームハンダの粘性に基づいてプリント基板上に電子部品が仮止めされる。その後、前記プリント基板がリフロー炉へ導かれ、所定のリフロー工程を経ることでハンダ付けが行われる。リフロー炉に導かれる前段階においてクリームハンダの印刷状態が検査される（例えば、特許文献１参照）。当該技術では、銅箔等からなる基板の電極上に設けられたクリームハンダに対し、斜め上方から光を照射し、青色フィルタを介してカメラで撮像することとしている。また、このときに撮像される光の感度領域が、ピーク波長において４５０ｎｍ〜５５０ｎｍとなるように設定されている。
【特許文献１】特開平５−２９６７４６号公報
【発明の開示】
【発明が解決しようとする課題】
【０００３】
ところが、上述したような青色の波長域では、レジストの存在する領域において乱反射を起こしてしまい、レジストの領域が明るく撮像されてしまう。そのため、クリームハンダ領域を抽出するに際して、当該クリームハンダとレジストとの区別がしにくく、領域抽出に支障が生じるおそれがある。
【０００４】
また、かかる不具合は、クリームハンダのみならず、ハンダバンプ、銀ペースト、導電性接着剤などを抽出する場合にも同様にして起こりうる。
【０００５】
本発明は、上記事情に鑑みてなされたものであり、基板上に設けられたクリームハンダ等に関する検査を行うに際し、より正確な検査を実現することの可能な基板の検査装置を提供することを主たる目的の一つとしている。
【課題を解決するための手段】
【０００６】
以下、上記目的等を解決するのに適した各手段につき項分けして説明する。なお、必要に応じて対応する手段に特有の作用効果等を付記する。
【０００７】
手段１．ハンダ相当物の設けられてなる基板に対し、ハンダ相当物とレジストとを区別してハンダ相当物を抽出するために、斜め方向から４２０ｎｍを上回り４５０ｎｍを下回る範囲にピーク波長をもつ紫色光を照射可能な紫色光照射手段と、前記基板のほぼ真上に設けられ、前記紫色光の照射された前記基板からの反射光に基づく撮像を行う撮像手段と、前記撮像手段による撮像において取得される画像データに基づき、前記ハンダ相当物の領域を抽出した上で所定の検査を行う検査手段とを具備することを特徴とする基板の検査装置。
【０００８】
手段１によれば、ハンダ相当物の設けられてなる基板に対し、紫色光照射手段より、斜め方向から４２０ｎｍを上回り４５０ｎｍを下回る範囲にピーク波長をもつ紫色光が照射される。また、基板のほぼ真上に設けられた撮像手段により、前記紫色光の照射された基板からの反射光に基づく撮像が行われる。そして、撮像手段による撮像において取得される画像データに基づき、検査手段によって、ハンダ相当物の領域が抽出され、その上で所定の検査が行われる。
【０００９】
このように、斜め方向から４２０ｎｍを上回り４５０ｎｍを下回る範囲にピーク波長をもつ紫色光が照射されることから、青色光が照射された場合のようにレジスト領域において乱反射を起こしてしまうことがなく、レジストの領域が明るく撮像されてしまうといった事態を回避することができる。そのため、クリームハンダ等のハンダ相当物の領域を抽出するに際して、当該ハンダ相当物とレジストとを比較的明確に区別することができる。その結果、検査精度を高めることができる。
【００１０】
しかも、紫色光を使用することによって撮像手段として可視光カメラを採用することができ、例えば紫外線を利用する場合に紫外線専用カメラを採用する場合と比較して、検査装置が安価になり、経済的にも有利である。
【００１１】
なお、ハンダ相当物とあるのは、クリームハンダをはじめ、ハンダバンプ、銀ペースト、及び、導電性接着剤などを含める趣旨である。以下の手段でも同様である。
【００１２】
手段２．ハンダ相当物の設けられてなる基板に対し、ハンダ相当物とレジストとを区別してハンダ相当物を抽出するために、斜め方向から４２０ｎｍを上回り４５０ｎｍを下回る範囲にピーク波長をもつ紫色光を照射可能な紫色光照射手段と、前記基板に対し、前記紫色光照射手段よりも小さな入射角で、５２０ｎｍ以上６８０ｎｍ以下の範囲にピーク波長をもつ長波長可視光を照射可能な長波長可視光照射手段と、前記基板のほぼ真上に設けられ、前記紫色光の照射された前記基板からの反射光、及び、前記長波長可視光の照射された前記基板からの反射光に基づく撮像を行う撮像手段と、前記撮像手段による撮像において取得される画像データに基づき、前記ハンダ相当物の領域を抽出した上で所定の検査を行う検査手段とを具備することを特徴とする基板の検査装置。
【００１３】
手段２によれば、基板に対し、紫色光照射手段より、斜め方向から４２０ｎｍを上回り４５０ｎｍを下回る範囲にピーク波長をもつ紫色光が照射される。また、紫色光照射手段よりも小さな入射角で、長波長可視光照射手段により、５２０ｎｍ以上６８０ｎｍ以下の範囲にピーク波長をもつ長波長可視光が照射される。基板のほぼ真上に設けられた撮像手段により、紫色光の照射された基板からの反射光、及び、長波長可視光の照射された基板からの反射光に基づく撮像が行われる。そして、撮像手段による撮像において取得される画像データに基づき、検査手段では、ハンダ相当物の領域が抽出され、その上で所定の検査が行われる。
【００１４】
このように、斜め方向から４２０ｎｍを上回り４５０ｎｍを下回る範囲にピーク波長をもつ紫色光が照射されることから、青色光が照射された場合のようにレジスト領域において乱反射を起こしてしまうことがなく、レジストの領域が明るく撮像されてしまうといった事態を回避することができる。そのため、クリームハンダ等のハンダ相当物の領域を抽出するに際して、当該ハンダ相当物とレジストとを比較的明確に区別することができ、検査精度を高めることができる。また、紫色光照射手段よりも小さな入射角で、５２０ｎｍ以上６８０ｎｍ以下の範囲にピーク波長をもつ長波長可視光が照射されることで、ハンダ相当物周囲に位置する赤色系統の電極からの光が反射して、当該電極領域をより区別しやすい。そのため、ハンダ相当物とその周縁部分とが明確に区別できることから、ハンダ相当物の領域が非常に抽出しやすいものとなる。結果として、より一層の検査精度の向上を図ることができる。
【００１５】
しかも、紫色光を利用することによって可視光カメラにて撮像手段を構成することができ、例えば紫外線を利用する場合に紫外線専用カメラを採用する場合と比較して、検査装置が安価になり、経済的にも有利である。特に、カラーカメラで上記撮像手段を構成し、上記紫色光及び長波長可視光の両方の光に基づく撮像を単一の撮像手段にて行うこともでき、その場合、検査装置がより安価になる。また、それぞれ別の撮像手段にて撮像する場合と異なり、座標系のマッチング処理が不要となるため、検査処理の迅速化・簡素化が図られる。
【００１６】
なお、上記電極には、銅箔、金メッキ、ハンダメッキからなるランドや回路パターンが含まれる。以下の手段でも同様である。
【００１７】
手段３．手段２に記載の検査装置において、
前記検査手段は、前記長波長可視光の照射によって取得される画像データに基づき、前記基板上に設けられ前記ハンダ相当物周囲に位置する電極領域を抽出しマスキングした上で、前記ハンダ相当物の領域抽出を実行することを特徴とする基板の検査装置。
【００１８】
クリームハンダ領域等を抽出するためには、その周囲に位置する電極領域の影響を払拭することが望ましい。この点、手段３によれば、長波長可視光の照射によって取得される画像データに基づき、ハンダ相当物周囲に位置する電極領域が抽出されマスキングされた上で、ハンダ相当物の領域抽出が実行される。そのため、ハンダ相当物の領域をより適正に抽出することができ、一層の検査精度の向上が図られる。
【００１９】
手段４．手段２又は３に記載の検査装置において、
前記長波長可視光照射手段は、５９０ｎｍ以上６８０ｎｍ以下の範囲にピーク波長をもつ橙色乃至赤色光を照射することを特徴とする基板の検査装置。
【００２０】
手段４によれば、長波長可視光照射手段により、長波長可視光のうち特に５９０ｎｍ以上６８０ｎｍ以下の範囲にピーク波長をもつ橙色乃至赤色光が照射される。ここで、前記電極は赤色系統を呈する場合が非常に多く、前記照射光が橙色乃至赤色光であることから、当該電極領域をより適正に抽出することができる。なお、「前記長波長可視光照射手段は、６１０ｎｍ以上６８０ｎｍ以下の範囲にピーク波長をもつ赤色光を照射すること」としてもよい。
【００２１】
手段５．手段２又は３に記載の検査装置において、
前記長波長可視光照射手段は、５２０ｎｍ以上５７０ｎｍ以下の範囲にピーク波長をもつ緑色光を照射することを特徴とする基板の検査装置。
【００２２】
手段５によれば、長波長可視光照射手段により、長波長可視光のうち特に５２０ｎｍ以上５７０ｎｍ以下の範囲にピーク波長をもつ緑色光が照射される。ここで、一般にＲ（赤）、Ｇ（緑）、Ｂ（青）に大別される可視光のうち、特に波長域の中心（中間）に存する緑色光が照射された場合、他の波長域に比べ最もピントが合いやすく色収差が少ない（適合しやすい）。そのため、より精度よく電極を抽出しやすいというメリットがある。
【００２３】
手段６．手段１乃至５のいずれかに記載の検査装置において、
前記紫色光照射手段は、４３０ｎｍを上回り４４０ｎｍを下回る範囲にピーク波長をもつ紫色光を照射することを特徴とする基板の検査装置。
【００２４】
手段６によれば、４３０ｎｍを上回り４４０ｎｍを下回る範囲にピーク波長をもつ紫色光が照射されることから、青色光が照射された場合のようにレジスト領域において乱反射を起こしてしまうことがなく、レジストの領域が明るく撮像されてしまうといった事態を回避することができる。そのため、クリームハンダ等のハンダ相当物の領域を抽出するに際して、当該ハンダ相当物とレジストとを比較的明確に区別することができる。その結果、検査精度を高めることができる。
【００２５】
しかも、紫色光を使用することによって可視光カメラを採用することができ、例えば紫外線を利用する場合に紫外線専用カメラを採用する場合と比較して、検査装置が安価になり、経済的にも有利である。また、４３０ｎｍを上回るピーク波長をもつため、撮像手段に可視光カメラを用いる場合、可視光カメラのレンズ特性から、ピントが合いやすい。
【００２６】
なお、「前記紫色光照射手段は、４３１ｎｍを上回り４３９ｎｍを下回る範囲にピーク波長をもつ紫色光を照射すること」としてもよいし、「前記紫色光照射手段は、４３２ｎｍを上回り４３８ｎｍを下回る範囲にピーク波長をもつ紫色光を照射すること」としてもよいし、「前記紫色光照射手段は、４３３ｎｍを上回り４３７ｎｍを下回る範囲にピーク波長をもつ紫色光を照射すること」としてもよいし、「前記紫色光照射手段は、４３４ｎｍを上回り４３６ｎｍを下回る範囲にピーク波長をもつ紫色光を照射すること」としてもよい。
【００２７】
手段７．手段１乃至６のいずれかに記載の検査装置において、
前記紫色光照射手段は、４３５ｎｍにピーク波長をもつ紫色光を照射することを特徴とする基板の検査装置。
【００２８】
レジスト領域における乱反射を抑えるためには、より短い波長域にピーク波長をもつ紫色光を用いることが望ましい。一方、可視光カメラのレンズ特性からピントが確実に合うのは、４３５ｎｍ以上のピーク波長をもつ紫色光である。
【００２９】
この点、手段７によれば、４３５ｎｍにピーク波長をもつ紫色光が照射されるため、レジスト領域において乱反射を起こしてしまうことがなく、ハンダ相当物とレジストとを比較的明確に区別することができ、検査精度を高めることができる。また、撮像手段に可視光カメラを用いる場合、可視光カメラのレンズ特性から、より確実なピント合わせが可能となり、鮮明な撮像が可能となる。
【００３０】
手段８．手段１乃至７のいずれかに記載の検査装置において、
前記検査手段は、前記画像データに基づき、前記ハンダ相当物の領域を抽出した上で、その面積計測、及び、計測値の判定、位置ずれ判定、ブリッジの有無判定のうち少なくとも１つの判定を実行可能であることを特徴とする基板の検査装置。
【００３１】
手段８によれば、画像データに基づき、前記ハンダ相当物の領域が抽出された上で、その面積計測、及び、計測値の判定、位置ずれ判定、ブリッジの有無判定のうち少なくとも１つの判定が実行される。
【００３２】
手段９．手段１乃至８のいずれかに記載の検査装置において、
前記検査手段は、さらに、前記画像データに基づき、前記ハンダ相当物の領域を抽出した上で、その高さ計測を行うことにより三次元計測を実行する三次元計測手段を具備し、当該三次元計測結果に基づき、前記ハンダ相当物の量及び高さのうち少なくとも一方について良否判定を実行することを特徴とする基板の検査装置。
【００３３】
手段９によれば、ハンダ相当物の領域抽出を行った上で、高さ計測を行うことにより三次元計測が実行され、ハンダ相当物の量及び高さのうち少なくとも一方について良否判定が実行される。そのため、誤った領域に対する計測が行われにくく、結果として、より適正な三次元計測を実現できる。
【発明を実施するための最良の形態】
【００３４】
以下に、一実施形態について、図面を参照しつつ説明する。
【００３５】
図１は、本実施形態における検査装置１を模式的に示す概略構成図である。なお、本実施形態では、検査装置１は、図２に示す回路パターンＰＴ及びパッドＰＤを有するプリント基板Ｋにおいて、パッドＰＤ上に印刷されてなるクリームハンダの印刷状態を検査するための検査装置を具備する。より詳しくは、クリームハンダの領域を抽出した上で二次元計測し、面積等を求め、その上で高さ計測等を行うことで、クリームハンダの三次元計測を行い、各種検査を実施するものとして具現化されている。なお、プリント基板Ｋの表面には、パッドＰＤ以外の領域において、ソルダレジスト（レジスト）が、塗布形成されている。なお、回路パターンＰＴ及びパッドＰＤは、例えば銅箔として具現化される。もちろん、金メッキ、ハンダメッキなどが施されたものとしてもよい。
【００３６】
図１に示すように、検査装置１は、基台２を備えているとともに、基台２上には、Ｘ軸移動機構３及びＹ軸移動機構４が設けられている。Ｙ軸移動機構４上には、レール１０が配設されており、該レール１０上に基板としてのプリント基板Ｋが載置されるようになっている。そして、Ｘ軸移動機構３及びＹ軸移動機構４が作動することで、プリント基板ＫがＸ軸方向及びＹ軸方向に移動するようになっている。
【００３７】
検査装置１はまた、三次元計測用照射手段５と、「撮像手段」としてのＣＣＤカメラ６と、ＣＣＤカメラ６に対し電気的に接続された主制御手段７とを備えている。三次元計測用照射手段５は、クリームハンダの三次元計測に際し、プリント基板Ｋの表面に対し斜め上方から所定の光パターンを照射するように構成されている。ＣＣＤカメラ６は、プリント基板Ｋの真上に配置され、プリント基板Ｋ上の前記光パターンの照射された部分を撮像可能となっている。そして、主制御手段７では、三次元計測方法によって、ＣＣＤカメラ６にて撮像された画像データに基づき画像処理が行われ、クリームハンダの三次元計測（主として高さ計測及び体積計測）が行われるようになっている。
【００３８】
また、本実施形態では、上述したように、かかる三次元計測に先だって、クリームハンダを抽出するとともに、二次元計測し、その二次元計測された各種値に基づいて、クリームハンダに関する検査をも行うようになっている。つまり、主制御手段７は、クリームハンダに関する検査手段８を具備しており、検査手段８は、二次元検査部８Ａと、三次元検査部８Ｂと具備しているといえる（図５参照）。そして、検査手段８（三次元検査部８Ｂ）が「三次元計測手段」を具備しているともいえる。なお、ここでは詳細な説明は行わないが、本実施形態における三次元計測に際しては、位相シフト法、光切断法、空間コード法、合焦法等、任意の計測方法が適宜採用される。
【００３９】
本実施形態では、二次元検査部８Ａにおいて実施されるクリームハンダに関する抽出を含む二次元計測及びその検査に特徴を有しているので、次には、かかる抽出等について説明する。
【００４０】
検査装置１は、クリームハンダが配設されてなる領域を抽出するための手段を具備している。当該手段には、ハンダ抽出用照射手段１１が含まれる。ハンダ抽出用照射手段１１は、三次元計測用照射手段５による光パターンの照射に先だって、プリント基板Ｋに対し、所定の光を照射するものである。より詳しく説明すると、図３、図４に示すように、ハンダ抽出用照射手段１１は、上下一対のリングライト１２，１３を具備している。
【００４１】
上部リングライト１２は、所定の小入射角での（より直交方向からの照射に近い）光照射（＝落射照明）を行うようになっているとともに、赤色の光を照射可能に構成されている。特に、本実施形態では、上部リングライト１２から照射される赤色の光は、６１０ｎｍ以上６８０ｎｍ以下の範囲にピーク波長をもつものである。なお、この上部リングライト１２が「長波長可視光照射手段」に相当する。
【００４２】
また、下部リングライト１３は、前記上部リングライト１２よりも大入射角での（斜めからの）光照射を行うようになっているとともに、紫色の光を照射可能に構成されている。特に、本実施形態では、下部リングライト１３から照射される紫色光は、４２０ｎｍを上回り４５０ｎｍを下回る範囲にピーク波長をもつものである。なおこのとき、４５０ｎｍ以上の波長域がゼロに近ければより良い。これにより、プリント基板Ｋ上のレジストの存在する領域（レジストのみの存在する領域、及び、パターンＰＴ上にレジストが存在する領域を含む）において乱反射が起こりにくく、ＣＣＤカメラ６にてレジストの領域が明るく撮像されてしまうといった事態が回避されるようになっている。なお、この下部リングライト１３が「紫色光照射手段」に相当する。
【００４３】
本実施形態では、ＣＣＤカメラ６としてカラーカメラが採用されており、前記上部リングライト１２及び下部リングライト１３からの同時照射が行われた上で、反射光たる赤色光及び紫色光を同時に撮像できるようになっている。勿論、モノクロカメラを採用することとしてもよいが、この場合には、上部リングライト１２及び下部リングライト１３からの照射が交互に切換えられ、赤色光に基づく撮像タイミングと紫色光に基づく撮像タイミングとがずらされることとなる。
【００４４】
次に、主制御手段７を中心とする検査装置１の電気的構成について説明する。
【００４５】
図５に示すように、ＣＣＤカメラ６は、主制御手段７に対し電気的に接続されている。主制御手段７は、上述したように、検査手段８（二次元検査部８Ａ及び三次元検査部８Ｂ）を備えている。これとともに、主制御手段７は、印刷されたクリームハンダの配置データやプリント基板Ｋに関する回路パターンデータ等の大まかな情報を入力するためのパターンデータ入力手段１７が接続されている。
【００４６】
主制御手段７にはまた、照射制御手段２１が接続されている。照射制御手段２１は、前記三次元計測用照射手段５、ハンダ抽出用照射手段１１（上下一対のリングライト１２，１３）に接続されており、前記主制御手段７からの制御信号に基づき、各照射手段５，１１（１２，１３）の照射の実行制御を行う。
【００４７】
主制御手段７にはさらに、Ｘ軸移動制御手段２２及びＹ軸移動制御手段２３が接続されている。これらＸ軸移動制御手段２２及びＹ軸移動制御手段２３は、主制御手段７からの制御信号に基づき、前記Ｘ軸移動機構３及びＹ軸移動機構４を適宜駆動制御する。これにより、プリント基板ＫがＸ軸方向、Ｙ軸方向へと適宜移動させられる。
【００４８】
次に、上記のように構成されてなる検査装置１における作用効果を、主制御手段７によって行われる制御内容を中心として説明する。
【００４９】
主制御手段７は、まず、クリームハンダ領域の抽出及び二次元計測を行うべく、前記照射制御手段２１を介して、ハンダ抽出用照射手段１１の両リングライト１２，１３からの光を照射させる。そして、ＣＣＤカメラ６にて、照射光が照射されたプリント基板Ｋを撮像する。このとき、撮像により得られた画像データに基づき、クリームハンダ領域の抽出及び二次元計測を行う。
【００５０】
ここで、当該クリームハンダの抽出及び二次元計測について説明する。通常、プリント基板Ｋにおいては、電極を形成するための赤色系統の銅箔等が採用されており、その上に例えば青色系統のクリームハンダが印刷形成される。
【００５１】
この場合において、照射制御手段２１は、ハンダ抽出用照射手段１１を介して、上部リングライト１２から上記赤色光を小入射角で照射させるとともに、下部リングライト１３から紫色光を斜めから大入射角で照射させる。
【００５２】
下部リングライト１３から紫色光が大入射角で照射されると、反射光としての紫色光がクリームハンダのある部分は乱反射して、反射光が上方に向かい、上方（ＣＣＤカメラ６）への反射光量が多くなるのに対し、当該ハンダがない部分は乱反射せずに上方への反射光量が少ない。また、上部リングライト１２が赤色光を小入射角で照射すると、反射光としての赤色光はクリームハンダ部分からは暗くしか反射されないのに対し、クリームハンダの周縁に存在しうる赤色系統の電極からの光が反射して、当該電極の部分をより区別しやすい。つまり、紫色光照射によりクリームハンダ領域をより適正に抽出できることに加えて、赤色光を照射することで、赤色系統を呈する周囲部分（電極部分）をより積極的に区別することができる。前記クリームハンダの抽出に際しては、その周囲に位置する電極領域の影響を払拭することが望ましいのであるが、本実施形態ではクリームハンダ周囲に位置する電極領域が抽出されマスキングされる。その上で、クリームハンダの領域抽出が実行される。これにより、クリームハンダ領域をより適正に抽出することができる。
【００５３】
このように、本実施形態では、三次元計測に先だって、計測対象たるクリームハンダの領域抽出及び二次元計測が行われる。つまり、両リングライト１２，１３により所定の波長域の光を照射し、その照射面をＣＣＤカメラ６で撮像し、ＣＣＤカメラ６による撮像から得られた画像データに基づき、主制御手段７において、クリームハンダの配設領域を特定（抽出）及び二次元計測する作業が行われる。
【００５４】
そして、上述したクリームハンダについて種々の検査が実行され、良否判定が実行される。二次元検査部８Ａにおける段階で、不良と判定された場合には、次に行われる三次元計測を経ることなく、その前段階で不良と判断される。一方、検査結果において良と判定された場合には、三次元検査部８Ｂにて、次の三次元計測が実行され、主として高さ計測及び体積計測が行われて、これら計測結果に基づく良否判定が実行される。なお、三次元計測についてはここでの詳細な説明は省略するが、上記のとおり、位相シフト法、光切断法、空間コード法、合焦法等、任意の計測方法が適宜採用される。位相シフト法を用いた三次元計測の手順としては、例えば、特開２００３−２７９３３４号公報に例示されるものが挙げられる。
【００５５】
以上詳述したように、本実施形態によれば、プリント基板Ｋに対し、下部リングライト１３より、斜め方向から４２０ｎｍを上回り４５０ｎｍを下回る範囲にピーク波長をもつ紫色光が照射される。また、下部リングライト１３よりも小さな入射角で、上部リングライト１２により、６１０ｎｍ以上６８０ｎｍ以下の範囲にピーク波長をもつ赤色光が照射される。さらに、プリント基板Ｋのほぼ真上に設けられたＣＣＤカメラ６により、紫色光の照射されたプリント基板Ｋからの反射光、及び、赤色光の照射されたプリント基板Ｋからの反射光に基づく撮像が行われる。そして、ＣＣＤカメラ６による撮像において取得される各画像データに基づき、二次元検査部８Ａでは、クリームハンダの領域が抽出され、その上で所定の検査が行われる。
【００５６】
このように、斜め方向から４２０ｎｍを上回り４５０ｎｍを下回る範囲にピーク波長をもつ紫色光が照射されることから、青色光が照射された場合のようにレジスト領域において乱反射を起こしてしまうことがなく、レジストの領域が明るく撮像されてしまうといった事態を回避することができる。そのため、クリームハンダ領域を抽出するに際して、当該クリームハンダとレジストとを比較的明確に区別することができ、検査精度を高めることができる。
【００５７】
また、前記赤色光が照射されることで、クリームハンダ周囲に位置する赤色系統の電極からの光が反射して、当該電極の部分をより区別しやすい。そのため、クリームハンダ等とその周縁部分とが明確に区別できることから、クリームハンダ領域が非常に抽出しやすいものとなる。結果として、より一層の検査精度の向上を図ることができる。
【００５８】
さらに、紫色光を利用することによってカラーカメラであるＣＣＤカメラ６を用いることができ、例えば紫外線を利用する場合に紫外線専用カメラを採用する場合と比較して、検査装置１が安価になり、経済的にも有利である。特に本実施形態では、両リングライト１２，１３からの照射光に基づくプリント基板Ｋの撮像を、単一のＣＣＤカメラ６によって行う。その結果、検査装置１がより安価になる。また、別々のカメラにて撮像を行う場合と異なり、座標系のマッチング処理などが不要となるため、検査処理の迅速化・簡素化が図られる。
【００５９】
また、本実施形態では、クリームハンダの領域抽出をした上で、三次元計測方法によって、ＣＣＤカメラ６にて撮像された画像データに基づき画像処理が行われ、クリームハンダの三次元計測（主として高さ計測及び体積計測）が行われるようになっている。そのため、誤った領域に基づく計測が行われにくく、結果として、より適正な三次元計測を実現できる。
【００６０】
なお、上述した実施の形態の記載内容に限定されることなく、本発明は、その趣旨を逸脱しない限り、種々なる形態で実施可能である。例えば、次のように実施してもよい。
【００６１】
（ａ）上記実施形態では、プリント基板Ｋに対し、下部リングライト１３より、斜め方向から４２０ｎｍを上回り４５０ｎｍを下回る範囲にピーク波長をもつ紫色光を照射する構成であった。
【００６２】
ところで、レジスト領域における乱反射を抑えるためには、可視光を用いる場合、より短い波長をピーク波長とする紫色光を用いることが望ましい。一方、可視光カメラのレンズ特性から、４２０ｎｍ以上の紫色光ならばある程度ピントを合わせられるが、ピントが確実に合うのは、４３５ｎｍ以上のピーク波長をもつ紫色光である。
【００６３】
そのため、例えば４３０ｎｍにピーク波長をもつ紫色光を照射する構成とすれば、４２０ｎｍにピーク波長をもつ紫色光を照射する構成と比較して、よりピントを合わせやすい。そのため、このような観点からは、斜め方向から４３０ｎｍを上回り４４０ｎｍを下回る範囲にピーク波長をもつ紫色光を照射する構成としてもよい。また、同様の観点から、斜め方向から４３１ｎｍを上回り４３９ｎｍを下回る範囲にピーク波長をもつ紫色光を照射する構成としてもよいし、斜め方向から４３２ｎｍを上回り４３８ｎｍを下回る範囲にピーク波長をもつ紫色光を照射する構成としてもよいし、斜め方向から４３３ｎｍを上回り４３７ｎｍを下回る範囲にピーク波長をもつ紫色光を照射する構成としてもよいし、あるいは、斜め方向から４３４ｎｍを上回り４３６ｎｍを下回る範囲にピーク波長をもつ紫色光を照射する構成としてもよい。さらにピントを確実に合わせ、かつ、なるべくピーク波長を短くするという観点からは、４３５ｎｍにピーク波長をもつ紫色光を照射する構成を採用することが望ましい。
【００６４】
（ｂ）上記実施形態では、クリームハンダの主として高さ計測（三次元計測）を行う場合に先だって、検査する場合について具体化しているが、三次元計測を行わない場合にも適用可能であることは勿論である。例えばクリームハンダの面積計測等の二次元計測を行うだけの場合にも具体化することができる。また、ある部分については二次元計測を行うとともに、別の部分については三次元計測を行う場合に具体化してもよい。また、更に別の部分については二次元計測及び三次元計測の両方を行ってもよい。
【００６５】
（ｃ）上記実施形態では、検査内容の詳細については特に言及していないが、例えば、二次元計測結果に基づき、検査対象たるクリームハンダの面積計測及び計測値の判定、位置ずれ判定、クリームハンダに関するブリッジの有無を判定すること等が可能である。
【００６６】
（ｄ）撮像手段としては、上記実施形態のようなエリアを撮像可能なＣＣＤカメラ以外に、ラインカメラを採用してもよい。さらに、例えば、ＣＭＯＳカメラなど、エリア状又はライン状に撮像可能なカメラであってもよく、必ずしもＣＣＤカメラに限定されるものではない。
【００６７】
（ｅ）上記実施形態では、クリームハンダの領域抽出及び二次元計測を行う場合について具体化しているが、ハンダバンプ、銀ペースト、導電性接着剤の領域抽出及び二次元計測ひいては検査を行う場合に具体化することもできる。なお、上記実施形態におけるクリームハンダ、そして、ここに示したハンダバンプ、銀ペースト、導電性接着剤などが「ハンダ相当物」に該当する。
【００６８】
（ｆ）各照射手段５，１１（１２，１３）を構成する光源は、図４に示すように環状に配列されたＬＥＤであってもよいし、所定の波長域の光を照射可能な他のランプでもよい。また、レーザ光を照射可能な照射手段を採用してもよい。
【００６９】
（ｇ）上記実施形態では、上部リングライト１２から照射される可視光として、６１０ｎｍ以上６８０ｎｍ以下の範囲にピーク波長をもつ赤色光を採用しているが、５９０ｎｍ以上６８０ｎｍ以下の範囲にピーク波長をもつ橙色乃至赤色光を照射することとしてもよい。
【００７０】
また、５２０ｎｍ以上５７０ｎｍ以下の範囲にピーク波長をもつ緑色光を照射することとしてもよい。ここで、一般にＲ（赤）、Ｇ（緑）、Ｂ（青）に大別される可視光のうち、特に波長域の中心（中間）に存する緑色光が照射された場合、他の波長域に比べ最もピントが合いやすく色収差が少ない（適合しやすい）。そのため、緑色光を照射光として採用した場合には、より精度よく電極等を抽出しやすいというメリットがある。
【００７１】
これらを考慮すると、上部リングライト１２から照射される可視光としては、５２０ｎｍ以上６８０ｎｍ以下の範囲にピーク波長をもつものであればよいといえる。
【図面の簡単な説明】
【００７２】
【図１】一実施形態における検査装置を模式的に示す概略斜視図である。
【図２】実施形態における基板上の回路パターン等を説明するための模式図である。
【図３】実施形態におけるハンダ抽出用照射手段等の配置構成を示す模式図である。
【図４】実施形態における照射手段の配置構成を示す断面模式図である。
【図５】実施形態における電気的構成、制御構成を説明するためのブロック図である。
【符号の説明】
【００７３】
１…検査装置、５…三次元計測用照射手段、６…撮像手段としてのＣＣＤカメラ、７…主制御手段、８…検査手段、８Ａ…二次元検査部、８Ｂ…三次元検査部、１１…ハンダ抽出用照射手段、１２…長波長可視光照射手段としての上部リングライト、１３…紫色光照射手段としての下部リングライト。
【図１】
0005191089.tif 000002
【図２】
0005191089.tif 000003
【図３】
0005191089.tif 000004
【図４】
0005191089.tif 000005
【図５】
0005191089.tif 000006